(57)【要約】【課題】お好み選局を行う場合において、操作性および利便性を向上する。【解決手段】２つのチューナと子画面用メモリを持つテレビジョンシステムにおいて、１画面時に予め登録された複数個のお好みチャンネルを一定時間毎に選局し、圧縮した映像を複数のチャンネル毎に区切られた子画面用メモリ領域に順次書き込んでおく。ユーザがお好み選局キー入力すると、お好み選局モード（図３）に遷移し、１画面時に書き込んでおいた複数個のお好みチャンネルの映像を同時に表示し、テンキーを入力すると、各々のキーに対応した映像のチャンネルが選局され、１画面モードに遷移する。また、お好み選局モード中に、容易にお好みチャンネル編集モード（図４）に遷移し、それぞれのお好みチャンネルにおける実際のチャンネル番号などを表示し、お好みチャンネルに登録する実際のチャンネルを、映像を確認しながら変更することが出来る。【選択図】  図２
2004166044.tif 000002
【特許請求の範囲】
【請求項１】
親画面用チューナと、子画面用チューナと、子画面用圧縮回路と、子画面用メモリと、リモコン装置にお好み選局モードに遷移するためのお好み選局キーと、リモコン装置に番号が記された複数のキーを有するテレビジョン装置において、子画面用チューナより予め登録された複数個のお好みチャンネルを一定時間毎に選局して、圧縮した映像を複数のチャンネル毎に区切られた子画面用メモリ領域に順次書き込んでおくことによって、リモコン装置のお好み選局キーが入力されると、子画面用メモリに書き込んでおいた複数個のお好みチャンネルの映像を同時に表示する方法を特徴とし、番号が記されたキーを入力すると、その番号に対応した映像のチャンネルを１画面で表示する選局システム。
【請求項２】
請求項１に記載の選局装置と、リモコン装置に現在の情報を表示するための再表示キーと、メッセージを表示するためのオンスクリーン制御回路を有する選局システムにおいて、お好み選局中にリモコン装置の再表示キーを入力すると、全てのお好みチャンネルの情報を表示させる選局システム。
【請求項３】
請求項１に記載の選局装置と、お好みチャンネルのデータを記憶するための不揮発性メモリを有する選局システムにおいて、お好み選局中に各々のチャンネルの内容を、映像を確認しながら変更して不揮発性メモリに記憶することができる選局システム。
【発明の詳細な説明】
【０００１】
【発明の属する技術分野】
本発明は、お好み選局またはお好み選局の対象となるチャンネルの登録を利便的に行うことの出来るテレビジョン受像機に関する。
【０００２】
【従来の技術】
従来、お好み選局を行う場合、それぞれのお好みチャンネルの放送局名などを表示させる、または登録されたお好みチャンネルを順次に選局する、などの技術があった（特許文献１）。
【０００３】
【特許文献１】
特開平７−７６８１号公報
【０００４】
【発明が解決しようとする課題】
しかしながら、従来の方法では、ユーザがそれぞれのお好みチャンネルでどのような番組を放送しているかが視覚的に認識しにくい、または認識するのに時間がかかってしまうという課題があった。
【０００５】
【課題を解決するための手段】
上記問題点を解決するために本発明のお好み選局システムでは、親画面用チューナと、子画面用チューナと、親画面用映像信号処理回路と、子画面用映像信号処理回路と、子画面用圧縮回路と、子画面用メモリと、表示装置と、メッセージや設定画面を表示するためのオンスクリーン制御回路と、ユーザからの指示を受けるユーザ入力手段と、これらを制御するマイクロコントローラを具備したものである。
【０００６】
【発明の実施の形態】
本発明の請求項１に記載の発明は、親画面用チューナと、子画面用チューナと、親画面用映像信号処理回路と、子画面用映像信号処理回路と、子画面用圧縮回路と、子画面用メモリと、表示装置と、メッセージや設定画面を表示するためのオンスクリーン制御回路と、ユーザからの指示を受けるユーザ入力手段と、これらを制御するマイクロコントローラを具備し、１画面時に子画面用のチューナより入力された映像信号を圧縮して、登録されたお好みチャンネル毎に区切られた子画面用メモリ領域に書き込む動作を一定時間毎に繰り返し行うことによって、ユーザ入力手段よりお好み選局モードになった時に登録されたお好みチャンネルの映像を同時に表示できる機能を有する。
【０００７】
本発明の請求項２に記載の発明は、お好み選局時にユーザ入力手段により再表示キーが入力された時にのみお好みチャンネルの情報を表示し、通常のお好み選局時には最小限の情報を表示することによって、映像を認識性の向上を有する。
【０００８】
本発明の請求項３に記載の発明は、お好み選局時に簡単な操作でお好みチャンネルを、映像を確認しながら再登録できるという操作性の向上を有する。
【０００９】
以下、本発明の実施の形態について、図１から図４を用いて説明する。
【００１０】
（実施の形態１）
図１は本発明の一実施例におけるお好み選局システムを取り入れたテレビジョン受像機のブロック構成図を示す。
【００１１】
図１において、１０４は親画面用チューナ、１０５は子画面用チューナ、１０６は映像信号を処理する親画面用映像信号処理回路、１０７は子画面用映像信号回路、１０８は子画面信号を圧縮する子画面用圧縮回路、１０９は圧縮された子画面信号を書き込む子画面用メモリ、１１０は親画面と子画面信号を合成または切り替える映像信号合成回路、１１２は表示装置、１０３はお好みチャンネルの登録など各種データを記憶する不揮発性メモリ、１１１はお好みチャンネル登録内容などの表示を制御するオンスクリーン制御回路、１０２はこれらを制御するマイクロコントローラ、１０１はユーザが指示を入力できるユーザ入力手段である。
【００１２】
以上のように構成されたテレビジョン受像機について、以下その動作を説明する。
【００１３】
図１において、１画面時には、親画面用チューナ１０４がアンテナから受けた信号から映像信号を出力し、親画面用映像信号処理回路１０６により生成された映像とオンスクリーン表示回路１０６からのＲＧＢ信号を処理して表示装置１０７に出力する。その間、マイクロコントローラ１０２は、不揮発性メモリ１０３に記憶されている複数個のお好みチャンネルに対して、子画面用チューナ１０５と子画面用映像信号処理回路１０７により生成された子画面映像を、子画面用圧縮回路１０８によって圧縮し、複数のチャンネル毎に区切られた子画面用メモリ１０９に書き込む操作を繰り返し行う。
【００１４】
ユーザ入力手段１０１によって、お好み選局モードに遷移する命令が入力されると、１画面時に書き込まれていた子画面メモリ１０９が映像信号合成回路１１０に出力され、登録されているお好みチャンネルの全映像が同時に表示装置１１２に出力される。
【００１５】
図２はお好み選局システムを実現するためのリモコン装置図である。
【００１６】
図２において、リモコン装置２０１には、そのボタンを押下することにより例えば該ボタンの表面に記された番号に相当するチャンネルを直接選局するための各ボタン２０２（いわゆるテンキー）と、お好みチャンネルモードに遷移するためのお好み選局キー（ＦＡＶＯＲＩＴＥキー）２０３と、お好みチャンネルの情報を表示するための再表示キー（ＤＩＳＰＬＡＹキー）２０４と、４種類のカラーキー２０５、２０６、２０７、２０８を設定する。
【００１７】
図２において、お好み選局キー２０３を入力するとお好み選局モードとなり、登録されているお好みチャンネルの映像が同時に表示され、テンキー２０２を入力するとテンキーに相当したお好みチャンネルが選局される。
【００１８】
図３は、お好み選局モードに遷移した際の画面イメージである。
【００１９】
図３において、お好み選局モードに遷移した際には、予め登録されているお好みチャンネルの映像３０１−１から３０１−９が同時に表示され、さらに各々の映像の左上に図２のリモコン装置のテンキー２０２に相当するオンスクリーンディスプレイのイメージ３０１−１から３０１−９も表示する。
【００２０】
（実施の形態２）
図１及び図２は前記（実施の形態１）と同様である。
【００２１】
図４は、お好み選局編集モードに遷移した際の画面イメージである。
【００２２】
図４において、予め登録されているお好みチャンネルの映像４０１−１から４０１−９が同時に表示され、さらに各々のお好みチャンネルの映像の左上には実際のチャンネル番号４０２−１から４０２−９を表示し、１つのお好みチャンネルを選択するカーソル４０３を表示する。図２のリモコン装置のキー２０５に相当するカーソル移動コマンド４０４と、キー２０６に相当するお好みチャンネルのチャンネルアップコマンド４０５と、キー２０７に相当するお好みチャンネルのチャンネルダウンコマンド４０６と、お好み選局編集モードを抜け、お好み選局モードに遷移するＥＸＩＴコマンド４０７を表示する。
【００２３】
図２のリモコン装置において、再表示キー２０４が入力されたとき、お好み選局編集モードに遷移し、図４においてそれぞれのお好みチャンネルの実際のチャンネル番号を表示る。
【００２４】
（実施の形態３）
図１及び図２、図４については前記（実施の形態２）と同様である。
【００２５】
図２において、リモコン装置２０５が入力されると、図４におけるカーソル４０２が右のお好みチャンネルに移動する。図２のリモコン装置２０６または２０７が入力されると、図４におけるカーソル４０２が表示されているお好みチャンネルに登録されている実際のチャンネルにおける１つ上または下のチャンネルが選局され、選局された実際のチャンネルの映像を表示し、そのチャンネルがお好みチャンネルとして登録される。図２のリモコン装置２０８が入力されると、お好み選局編集モードを抜け、お好み選局モードに遷移する。
【００２６】
【発明の効果】
以上のように本発明のお好み選局システムを設ける事により、ユーザにとってお好み選局またはお好みチャンネルの登録の利便性を向上させることができる。
【図面の簡単な説明】
【図１】本発明の一実施例におけるお好み選局システムを用いたテレビジョン受像機のブロック構成図
【図２】お好み選局システムにおけるリモコン装置のイメージ図
【図３】お好み選局モード中の画面イメージ図
【図４】お好み選局編集モード中の画面イメージ図
【符号の説明】
１０１  ユーザ入力手段
１０２  マイクロコントローラ
１０３  不揮発性メモリ
１０４  親画面用チューナ
１０５  子画面用チューナ
１０６  親画面用映像信号処理回路
１０７  子画面用映像信号処理回路
１０８  子画面用圧縮回路
１０９  子画面用メモリ
１１０  映像信号合成回路
１１１  オンスクリーン制御回路
１１２  表示装置
２０１  リモコン装置
２０２  テンキー
２０３  お好み選局（ＦＡＶＯＲＩＴＥ）キー
２０４  再表示（ＤＩＳＰＬＡＹ）キー
２０５  カラーキー
２０６  カラーキー
２０７  カラーキー
２０８  カラーキー
３０１  お好みチャンネル映像
３０２  リモコン装置テンキーイメージ
４０１  お好みチャンネル映像
４０２  お好みチャンネルの実チャンネル番号
４０３  カーソル移動コマンド
４０４  お好みチャンネルのチャンネルアップコマンド
４０５  お好みチャンネルのチャンネルダウンコマンド
４０６  お好み選局編集モード解除コマンド
【図１】
2004166044.tif 000003
【図２】
2004166044.tif 000004
【図３】
2004166044.tif 000005
【図４】
2004166044.tif 000006